(57)【特許請求の範囲】
【請求項１】
集合住宅の屋外共用スペースにユニット化して設置される屋外設置型多目的ユニットであって、
縦５ｍ、横２．５ｍ程度をなすおおよそ駐車場一台分の敷地の外周に立設された支柱により支持されるパーゴラと、
該パーゴラの内部に配設される洗体ユニットおよびベンチと、
該パーゴラの床部分に敷設されるインターロッキングブロックと、を備え、
該洗体ユニットは、
該パーゴラの一の辺を形成するように設けられ、人の肩高の高さを有する塀と、
該塀の内側と一辺が接し、ペットを入れて洗うための腰高の矩形シンクと、
該塀の内側と一辺が接し、かつ該シンクと隣接して設置されるとともに、該シンクと高さを違え、かつ上端面が該シンクの内底面と高さが略等しくなるように設置され、洗ったペットをタオルで拭く作業を行うためのカウンターと、
給水又は給湯設備、及びハンドシャワーと、
該ハンドシャワーの近傍に設けられるとともに、下水配管へ通ずる配管設備、小型の便器体、排水を促す排水機構からなり、散歩で持ち帰ったペットの糞の始末を行うための糞尿処理設備と、
から構成されたことを特徴とする屋外設置型多目的ユニット。
【請求項２】
公道に面した側の該支柱間に、遮蔽のためのウッドフェンスを設けたことを特徴とする請求項１に記載の屋外設置型多目的ユニット。
【請求項３】
照明設備、シャワーフック、リードフックを備えたことを特徴とする請求項１記載の屋外設置型多目的ユニット。
【請求項４】
塀の代わりに柵を設置したことを特徴とする請求項１記載の屋外設置型多目的ユニット。
【請求項５】
シンクは大口径の排水口を有し、且つ、シンク内側はペットが滑らない表面処理加工が施されていることを特徴とする請求項１記載の屋外設置型多目的ユニット。
【請求項６】
少なくとも塀、シンク、カウンターを覆うルーフを有することを特徴とする請求項１記載の屋外設置型多目的ユニット。
【請求項７】
シンクおよびカウンターを支持する脚部は、塀側面と同一の表面仕上げとしたことを特徴とする請求項１記載の屋外設置型多目的ユニット。
【発明の詳細な説明】
【０００１】
【発明の属する技術分野】
本発明は、集合住宅や公共施設といった建物の敷地内の共有スペースに、又は戸建住宅の敷地内に設置され、ガーデニング、敷地内樹木等の管理維持の他、ペットの体を洗うなど多目的に利用可能なユニットに係るものであって、給湯給水設備や糞尿ダクト等を備えた洗体ユニットに関するものであり、また、床部分に透水性を有する舗装材料を使用し、ウッドフェンスやベンチとともに構成されるパーゴラ（日陰棚の一種）と、上記洗体ユニットとの組み合わせによりなる多目的ユニットに関するものである。
【０００２】
【従来の技術】
従来、屋外に設置される洗い場としては、家庭菜園やガーデニングの用に供するための給水設備にわずかばかりのカウンタースペースを有するものがある（図２）。
【０００３】
【発明が解決しょうとする課題】
しかしながら、このような従来設備には給湯機能がなく、また、カウンタースペースも充分な広さが確保できておらず、さらにシンクに至っては、あくまで補助的な屋外型設備であることから、その容量が非常に小さい設計となっている。そのため、例えばペットを洗うといった作業には極めて不向きであった。
【０００４】
また、最近の傾向として、分譲、賃貸に関わらず集合住宅における入居者募集の魅力付けとして、ペット対応の要望が高まっている中、内装については床材等にはペットへの対応が見られるが、屋外設置型の設備としてはまだ具体的な取組みがなされていないのが現状である。
【０００５】
さらに、隣人との交流が少なくなりつつある現状から、ペットを通じた人とのふれあいが期待されるところであり、かかる期待に応え得るような憩いの空間を提供する設備等は、これまで見られなかった。
【０００６】
また、戸建住宅においても、庭先でのバーベキューなど近年盛んなアウトドアライフに適した屋外設備は、個々に設計設備されているのが現状であり、防犯面が考慮され、且つ、取付けが容易でユニット化されたものたものはこれまでなかった。
【０００７】
【課題を解決するための手段】
上記の課題を解決するために、請求項１記載の屋外設置型多目的ユニットは、集合住宅の屋外共用スペースにユニット化して設置される屋外設置型多目的ユニットであって、縦５ｍ、横２．５ｍ程度をなすおおよそ駐車場一台分の敷地の外周に立設された支柱により支持されるパーゴラと、該パーゴラの内部に配設される洗体ユニットおよびベンチと、該パーゴラの床部分に敷設されるインターロッキングブロックと、を備え、該洗体ユニットは、該パーゴラの一の辺に沿って設けられ、人の肩高の高さを有する塀と、該塀の内側と一辺が接し、ペットを入れて洗うための腰高の矩形シンクと、該塀の内側と一辺が接し、かつ該シンクと隣接して設置されるとともに、該シンクと高さを違え、かつ上端面が該シンクの内底面と高さが略等しくなるように設置され、洗ったペットをタオルで拭く作業を行うためのカウンターと、給水又は給湯設備、及びハンドシャワーと、該ハンドシャワーの近傍に設けられるとともに、下水配管へ通ずる配管設備、小型の便器体、排水を促す排水機構からなり、散歩で持ち帰ったペットの糞の始末を行うための糞尿処理設備と、から構成されたことを要旨とする。
【０００８】
請求項２記載の屋外設置型多目的ユニットは、請求項１記載の構成において、公道に面した側の該支柱間に、遮蔽のためのウッドフェンスを設けたことを要旨とする。
【０００９】
請求項３記載の屋外設置型多目的ユニットは、請求項１記載の構成において、照明設備、シャワーフック、リードフックを備えたことを要旨とする。
【００１０】
請求項４記載の屋外設置型多目的ユニットは、請求項１記載の構成において、塀の代わりに柵を設置したことを要旨とする。
【００１１】
請求項５記載の屋外設置型多目的ユニットは、請求項１記載の構成において、シンクは大口径の排水口を有し、且つ、シンク内側はペットが滑らない表面処理加工が施されていることを要旨とする。
【００１２】
請求項６記載の屋外設置型多目的ユニットは、請求項１記載の構成において、少なくとも塀、シンク、カウンターを覆うルーフを有することを要旨とする。
【００１３】
請求項７記載の屋外設置型多目的ユニットは、請求項１記載の構成において、シンクおよびカウンターを支持する脚部は、塀側面と同一の表面仕上げとしたことを要旨とする。
【００１７】
塀の側面は、レンガ調あるいは石積み調の表面処理加工が施されたタイル等で仕上げられ、上面には砂岩調平板やレンガにより笠木をわたされている。さらに、シンクやカウンターの土台部分を塀側面と同様の仕上げとすることで、該ユニットに一体感が生まれ、デザイン的にも好ましい。更に、集合住宅の壁面と同一にすれば、該住宅の付加価値を高めることにもつながり、好ましい。
また、一方、図１（ｂ）に示すように、洗い場となるシンク部を別途地面に設けた構成とすることも考えられる。
【００１８】
塀は幅２５００ｍｍ、厚み１８０ｍｍ、高さ１１００ｍｍであるが、これらのサイズに限られない。また、塀の代わりに柵を利用してもよい。かかる塀や柵は、犬などのペットがシンクやカウンターから逃げ出さないようにするための遮蔽効果をも期待するものである。
シンクは幅７５０ｍｍ、奥行き６００ｍｍ、シンク上端から床までが７００ｍｍで、ペットの洗体を行う者の使い勝手の良い設計となっているが、この大きさに限られるものでない。該シンクにより中型犬までなら該シンクに入れて洗うことが可能と思われるが、大型犬については、シンク横の排水口を設けたスペースで洗ってやれば良い。また、シンク内側はペットが滑らないように、
表面を素焼き処理した風合いに仕上げたタイルを敷き詰めたり、又、エンボス加工等によりシンク内底に凹凸を設けたり、滑り止めマットを敷くこととしてもよい。なお、シンク内底と内側壁のなす隅部は丸みを帯びない形状が好ましい。なぜなら、ペットが足を掛けた際に不安定になるからである。
さらに、シンク内排水口は大口径ものを使用し、且つ、落ち葉やペットの抜け毛などが流れ出さないようにネット等を取付けて、利用の便に供する。
【００１９】
カウンターは廃材等を利用した再生木質建材を利用し、環境問題にも配慮した。また、洗ったペットをタオルで拭く作業をするのに十分なスペースを確保するため、奥行き６００ｍｍ、幅８３０ｍｍ、高さが７００ｍｍとなっているが、必要応じて変更しても良い。また、シンクとの高さを違えることで、タオルドライの際に、誤ってペットがシンク内にはまらないよう配慮するものである。
【００２０】
給水及び給湯設備には、通常の蛇口の他に、ハンドシャワーへの吐水口が別途設けられ、ペットの洗体のみならず、延長ホースを利用して庭木への散水、洗車、アウトドアライフに利用することもできる。なお、数多くの世帯からなる集合住宅に設置する場合を考慮して、複数のハンドシャワーを設けることとすれば、更に便利である。
【００２１】
また、小雨等の中でも作業可能なように、少なくとも塀、シンク、カウンター部分を覆うルーフをオプション使用として設けることとしても良いし、更に、風よけ効果をも期待するのであれば、ルーフのみならずカウンター横へ仕切りを設けても良い。
【００２２】
請求項２記載の屋外設置型多目的ユニットに使用するパーゴラは、縦５ｍ、横２．５ｍのおおよそ普通自動車一台分のスペースの敷地の四隅に４本、短辺中央に計２本、長辺には同間隔に計４本の支柱を立て、これら支柱により支持される（図３）。
また、支柱間の一部にウッドフェンスを張ることで、周辺との遮蔽効果を出すが、集合住宅や戸建住宅の敷地内に該ユニットを設置する場合には、全く見ず知らずの人が勝手に出入りすることのないように、公道に面した側には該フェンスを張り、最も遮蔽効果が高くなるように、限られた一面にのみ出入り口を設ける。
一方、公共の施設等に設置する場合には、できるだけオープンな利用態様が好ましいことから、相対する面に出入り口を設けることとして良い。
【００２３】
該ユニットの床部分には、インターロッキングブロックと呼ばれる、砂等を混合物としてセメントで固めた透水性のブロック舗装材を用いることで、飛び散った水が溜まることのない床仕上げとする。なお、透水性を有する舗装材であれば他のものでもよいが、滑り抵抗値が大きい点、耐久性に優れた点、デザインやカラーのバリエーションが豊富な点、経済性等から、インターロッキングブロックが最適であると考えられる。
【００２４】
ベンチは、図３に示すように洗体ユニットに相対して設置しても良いし、長辺の一部に沿って配置しても良い。なお、該ベンチ、前記カウンター、パーゴラ、支柱、ウッドフェンスはすべて同一の再生木質建材を使用し、当該ユニット全体としての統一感を持たせるとともに、セット販売を容易に可能とすべくユニット化し、予めこれら材料の規格寸法を統一し、製造原価を低く抑えることで、低廉に商品提供が可能となり、環境問題解決の一役も担う。さらに、照明設備により夜間の利用も便利である。
【００２５】
請求項１及び請求項２記載のユニットの設置場所は、集合住宅敷地内の共有スペース内や戸建住宅の敷地内に限らず、役所、公民館、公園などといった公共の施設の付属設置物として、さらに学校や病院など人が集まる施設等に設置することも考えられる。
【００２６】
［実施例１］
本発明の第１の実施例を、図１（ａ）、図２に基づいて説明する。本実施例は、請求項１記載の発明に係る洗体ユニットに関するものであり、集合住宅の共有スペースに設置した場合に関するものである。図１（ａ）は、実施例１の洗体ユニットを示した図、図２は、従来のガーデンシンクを示した図である。
【００２７】
図中、（Ａ）は請求項１記載の屋外設置型多目的ユニット、（１）はシンク、（２）は給水及び給湯水栓、（３）は塀、（４）はハンドシャワー、（５）はハンドシャワーフック、（６）はカウンター、（７）は笠木、（８）は塀側面の表面仕上げ、（９）はリードフック、（１０）は排水目皿、（１１）は小型便器体、（１２）は排水ペダル、（１３）は照明、（１４）は鳥かごフックである。
【００２８】
シンク（１）は、幅７５０ｍｍ、奥行き６００ｍｍ、高さが床面からシンク上端まで１１００ｍｍである。給水及び給湯水栓（２）は、湯、水の混合水量の調節が可能で、かつ、別途ハンドシャワー（４）への吐出口（図示せず）を有する。また、通常の蛇口とハンドシャワーとの切替えを行うレバーを備える（図示せず）。そして該ハンドシャワー（４）は、塀（３）に設けられたシャワーフック（５）で掛止されるが、シンクの内外での利用を考慮し、本実施例では、２箇所にシャワーフック（５）が設けられ、同様にリードフック（９）も２箇所に設けた。
【００２９】
シンク（１）の一辺に接する態様で塀（３）を立設し、側面はレンガ調のタイルで表面仕上げが施され、上面は砂岩調の平板が笠木としてわたされているまた、カウンター（６）はシンク（１）と塀（３）とに連接し、腰高のシンクより低い高さ設計となっている。なお、カウンター（６）は再生木質建材を材料とする。
【００３０】
小型便器体（１１）及び排水ペダル（１２）は、ハンドシャワー（４）の近傍に設けられ、当該ユニット設置時に地中配管を通じて下水へと流されるよう施工されている。従って、散歩で持ち帰ったペットの糞の始末を屋外で済ませることができる。また、夜間の利用に供するために塀（３）に照明を配している。尚、この照明の位置や個数は本実施例に示すものに限られない。
【００３１】
図２に示す従来のガーデンシンクは、ガーデニング等の利用にのみ供するもので、図示するようにシンク横に小さなカウンターを設けたものが一般に見られるが、該ガーデンシンクは、本来、外部でのちょっとした洗いものや、給水のみを主としているため、給湯機能が無く、カウンタースペースも狭く、さらにシンクの容量も小さいことから、本実施例のような利用には不向きである。
【００３２】
本願発明の利用の態様としては、例えば、ペットを連れて散歩から戻ってきた入居者は、自宅へ入る前にペットの体を洗ってやることができる。 これまで飼い主は自宅の風呂場で洗っていたが、ペットは抜け毛が多く、毛詰まりの原因となってきたことから、飼い主はこまめに清掃を心がけなければならなかった。しかし、本願発明によりかかる問題も解決するものと考えられる。また、糞尿の後始末を屋外で済ますことができることも、飼い主にとっては非常に便利である。このように本願発明を手軽に利用できることで、飼い主は自室を汚さずに済むばかりでなく、常にペットを清潔に保つことができ、皮膚病などを未然に防ぐことができる。
【００３３】
また、可動式鳥かごフック（１４）は、不使用時には塀（３）に接するように折りたたまれているが、利用時には手前に回転させて、幅のある鳥やハムスターなどのかごを吊るすことができ、かごの中の掃除のみならず、普段は掃除がしにくいかごの底の掃除も一層しやすくなる。
【００３４】
シンク内の排水口は、大口径で、且つ、ネット等が備えられているため、鳥の羽や、ペットの体毛などが流れても詰まることなく、使用後のシンク内清掃が容易である。
【００３５】
また、ユニット（Ａ）を備えた集合住宅においては、入居者募集に際して、他の物件との差別化を図る有効なアピールポイントとなる。賃貸住宅においてペットの飼育が禁じられるのは、屋内外の区別のないペットに部屋を汚されるという理由が挙げられるが、ユニット（Ａ）を集合住宅の共有スペースに設置すれば、このような問題も解消できるものと考えられる。従って、入居者にとっても、集合住宅のオーナーにとっても、非常に有効な設備であると言える。
【００３６】
［実施例２］
本発明の第２の実施例を図に基づいて説明する。本実施例は、地面に別途シンク部を設けた洗体ユニットに関するものであり、実施例１のバリエーションを示すものである。図１（ｂ）は実施例２の洗体ユニットを示す図である。
【００３７】
図中、（１５）は地面設置型シンク、（１６）はインターロッキングブロックを示し、その他の引用符が示すものは実施例１と同様である。なお、透水性を有するインターロッキングブロック（１６）は、地面設置型シンク（１５）内の床全面に舗装されている。
【００３８】
本実施例によれば、シンク（１）と地面設置型シンク（１５）を適宜使い分けることで、利用の幅が広がる。また、インターロッキングブロック（１５）と排水目皿（１０）により、使用した水の排水処理が効果的に行える。
【００３９】
［実施例３］
本発明の第３の実施例を図３に基づいて説明する。本実施例は、請求項８記載の発明に係る屋外配置型多目的ユニットに関するものである。
図中、（Ｂ）は請求項８記載の屋外設置型多目的ユニット、（１７）はパーゴラ、（１８）はウッドフェンス、（１９）は床、（２０）はベンチ、（２１）は支柱であり、その他の引用符が示すものは、実施例１と同様である。
【００４０】
ユニット（Ｂ）は、実施例１に示したユニット（Ａ）に、上記（１７）から（２１）までの要素を加えて構成されるものであるが、カウンターとシンクは夫々独立した構成とする。
多目的ユニット（Ｂ）は、縦５ｍ、横２．５ｍ、高さ３ｍの空間を占める大きさで、パーゴラ（１７）、ウッドフェンス（１８）、ベンチ（１９）、支柱（２１）はカウンター（６）とともに、再生木質建材を利用し、統一した規格の下で効率的に量産される。
【００４１】
床（１９）は、インターロッキングブロックなどの透水性を有するブロックにより舗装されている。かかる舗装は５ｍ×２．５ｍの全面であっても良いし、ユニット（Ａ）を含む一部分であってもよい。
【００４２】
ウッドフェンス（１８）は、図３に示すように、ユニット（Ａ）を覆うように支柱間に設けても良いし、その他の支柱間に設けても良い。ただ、本実施例に掛かる本願発明を集合住宅の敷地内設置した場合において、該入居者と全く関係のない者の自由な出入りを防ぐという、防犯面への配慮から、公道に面した側には該フェンスを張り、最も遮蔽効果が高くなるように、限られた一面にのみ出入り口を設けることとする。
一方、公共の施設等に設置する場合には、できるだけオープンな利用態様が好ましいことから、相対する面にも出入り口を設けることとして良い。
【００４３】
また、ベンチ（２０）も図３に示す場所に限らず、ユニット（Ａ）内中央付近にカウンターとベンチを配置することとしても良い。なお、本実施例のように該ユニットは矩形に限らない。円形としてもよく、また、その他の形状であってもよい。
【００４４】
本実施例によれば、ペットの糞尿処理や洗体といった利用方法以外にも、集合住宅に設置されている場合には他の入居者や近隣住人との、また、戸建住宅に設置されている場合には、該戸建住宅の住人と近隣住人との交流が、本願発明を通じて深まることとなり、非常に好ましい。
【００４５】
【発明の効果】
以上、本発明によれば、ほんの駐車場１台分のスペースの利用で、ペットの世話に効率的、かつ、実用的に利用可能であるばかりでなく、さらに、人々の地域交流の場として有効に活用できる。そして、ペット愛好者の興味を惹くことから、特定の需要者層に訴えるアピール度が高く、付加価値をもたらす商品として、集合住宅の新規建築の需要増大が期待できる。さらに、ガーデニングや庭を利用したバーベキューといったアウトドアライフ、洗車や敷地内の草木の管理維持にも非常に便利である。
【００４６】
そして、本願発明を構成する木質部材は、すべて同一の再生木質建材を使用することから、ユニット全体としての統一感が得られ、該材料の規格の統一化を図ることで、製造原価を低く抑え、低廉に商品提供が可能となり、需要増大に伴い、環境問題解決の一役も担う。
【図面の簡単な説明】
【図１】  （ａ）  実施例１の洗体ユニットを示した図
（ｂ）  実施例２の洗体ユニットを示した図
【図２】  従来のガーデンシンクを示した図
【図３】  実施例３の屋外設置型多目的ユニット
【符号の説明】
Ａ   請求項１記載の屋外設置型多目的ユニット
Ｂ   請求項８記載の屋外設置型多目的ユニット
１   シンク
２   給水及び給湯水栓
３   塀
４   ハンドシャワー
５   ハンドシャワーフック
６   カウンター
７   笠木
８   塀側面の表面仕上げ
９   リードフック
１０   排水目皿
１１   小型便器体
１２   排水ペダル
１３   照明
１４   鳥かごフック
１５   地面設置型シンク
１６   インターロッキングブロック
１７   パーゴラ
１８   ウッドフェンス
１９   床
２０   ベンチ
２１   支柱
【図１】
0004073000.tif 000002
【図２】
0004073000.tif 000003
【図３】
0004073000.tif 000004